【手続補正書】
【提出日】平成23年2月3日(2011.2.3)
【手続補正１】
【補正対象書類名】特許請求の範囲
【補正対象項目名】全文
【補正方法】変更
【補正の内容】
【特許請求の範囲】
【請求項１】
回転可能な本体側係合部を有する電子写真画像形成装置本体に対して装着可能およびその装着方向とは逆方向に取り外し可能なプロセスカートリッジにおいて、
前記装着方向と実質直交する回転軸線を中心として回転可能な感光ドラムと、
前記感光ドラムに作用するプロセス手段と、
その回転軸線が前記感光ドラムの回転軸線と実質平行な状態で回転駆動伝達が行われるべく前記本体側係合部とのカップリングが可能な第１姿勢と、その回転軸線の先端側が前記装着方向下流側に傾いた第２姿勢と、の間を傾動可能なカップリング部材と、
を有し、
前記カップリング部材は、前記装着時および前記取り外し時に前記２姿勢をとることにより、前記本体側係合部とのカップリングおよびその解除が可能に構成されたことを特徴とするプロセスカートリッジ。
【請求項２】
前記カップリング部材は、前記装着時に前記第２姿勢から前記第１姿勢に移行することに伴い前記本体側係合部とのカップリングが可能であるとともに、前記取り外し時に前記第１姿勢から前記第２姿勢に移行することに伴い前記本体側係合部とのカップリングの解除が可能に構成されたことを特徴とする請求項１に記載のプロセスカートリッジ。
【請求項３】
前記カップリング部材は、前記装着時に前記第２姿勢から前記第１姿勢に移行することに伴いその一部が前記本体側係合部の前記装着方向の背後に廻り込むとともに、前記取り外し時に前記第１姿勢から前記第２姿勢に移行することに伴いその一部が前記背後から退避するように構成されたことを特徴とする請求項２に記載のプロセスカートリッジ。
【請求項４】
前記カップリング部材は、前記装着時に前記第２姿勢から前記第１姿勢に移行するために前記本体側係合部から力を受ける部位と、前記取り外し時に前記第１姿勢から前記第２姿勢に移行するために前記本体側係合部から力を受ける部位と、を有することを特徴とする請求項３に記載のプロセスカートリッジ。
【請求項５】
前記感光ドラムに固定される回転力被伝達部材であって前記カップリング部材からの回転駆動伝達を受ける回転力被伝達部材を有し、
前記カップリング部材は前記回転力被伝達部材に傾動可能に連結されていることを特徴とする請求項１乃至４のいずれか１項に記載のプロセスカートリッジ。
【請求項６】
前記カップリング部材が前記本体側係合部からの回転駆動伝達を受け得る状態において、前記感光ドラムから前記本体側係合部へ向けて前記カップリング部材を付勢する付勢部材を有することを特徴とする請求項１乃至５のいずれか１項に記載のプロセスカートリッジ。
【請求項７】
前記カップリング部材は、前記装着時に前記第２姿勢から前記第１姿勢に移行することに伴い前記付勢部材の付勢方向へ移動するとともに、前記取り外し時に前記第１姿勢から前記第２姿勢に移行することに伴い前記付勢方向とは反対方向へ移動することを特徴とする請求項６に記載のプロセスカートリッジ。
【請求項８】
前記駆動軸はその先端に半球面を有しており、
前記カップリング部材は、前記本体側係合部からの回転駆動伝達を受けている状態で前記半球面に付勢される凹部を有することを特徴とする請求項１乃至７のいずれか１項に記載のプロセスカートリッジ。
【請求項９】
前記凹部は、前記感光ドラムから前記本体側係合部へ向かうにしたがって前記カップリング部材の回転軸線からの距離が広がる広がり部を有しており、
前記広がり部が前記半球面に付勢されることを特徴とする請求項８に記載のプロセスカートリッジ。
【請求項１０】
前記カップリング部材が前記第２姿勢のときに、前記カップリング部材の回転軸線と前記感光ドラムの回転軸線となす角度が２０〜６０°となることを特徴とする請求項１乃至９のいずれか１項に記載のプロセスカートリッジ。
【請求項１１】
回転可能な本体側係合部を有する電子写真画像形成装置本体に対して装着可能およびその装着方向とは逆方向に取り外し可能なドラムユニットにおいて、
前記装着方向と実質直交する回転軸線を中心として回転可能な感光ドラムと、
その回転軸線が前記感光ドラムの回転軸線と実質平行な状態で回転駆動伝達が行われるべく前記本体側係合部とのカップリングが可能な第１姿勢と、その回転軸線の先端側が前記装着方向下流側に傾いた第２姿勢と、の間を傾動可能なカップリング部材と、
を有し、
前記カップリング部材は、前記装着時および前記取り外し時に前記２姿勢をとることにより、前記本体側係合部とのカップリングおよびその解除が可能に構成されたことを特徴とするドラムユニット。
【請求項１２】
前記カップリング部材は、前記装着時に前記第２姿勢から前記第１姿勢に移行することに伴い前記本体側係合部とのカップリングが可能であるとともに、前記取り外し時に前記第１姿勢から前記第２姿勢に移行することに伴い前記本体側係合部とのカップリングの解除が可能に構成されたことを特徴とする請求項１１に記載のドラムユニット。
【請求項１３】
前記カップリング部材は、前記装着時に前記第２姿勢から前記第１姿勢に移行することに伴いその一部が前記本体側係合部の前記装着方向の背後に廻り込むとともに、前記取り外し時に前記第１姿勢から前記第２姿勢に移行することに伴いその一部が前記背後から退避するように構成されたことを特徴とする請求項１２に記載のドラムユニット。
【請求項１４】
前記カップリング部材は、前記装着時に前記第２姿勢から前記第１姿勢に移行するために前記本体側係合部から力を受ける部位と、前記取り外し時に前記第１姿勢から前記第２姿勢に移行するために前記本体側係合部から力を受ける部位と、を有することを特徴とする請求項１３に記載のドラムユニット。
【請求項１５】
前記感光ドラムに固定される回転力被伝達部材であって前記カップリング部材からの回転駆動伝達を受ける回転力被伝達部材を有し、
前記カップリング部材は前記回転力被伝達部材に傾動可能に連結されていることを特徴とする請求項１１乃至１４のいずれか１項に記載のドラムユニット。
【請求項１６】
前記カップリング部材が前記本体側係合部からの回転駆動伝達を受け得る状態において、前記感光ドラムから前記本体側係合部へ向けて前記カップリング部材を付勢する付勢部材を有することを特徴とする請求項１１乃至１５のいずれか１項に記載のドラムユニット。
【請求項１７】
前記カップリング部材は、前記装着時に前記第２姿勢から前記第１姿勢に移行することに伴い前記付勢部材の付勢方向へ移動するとともに、前記取り外し時に前記第１姿勢から前記第２姿勢に移行することに伴い前記付勢方向とは反対方向へ移動することを特徴とする請求項１６に記載のドラムユニット。
【請求項１８】
前記駆動軸はその先端に半球面を有しており、
前記カップリング部材は、前記本体側係合部からの回転駆動伝達を受けている状態で前記半球面に付勢される凹部を有することを特徴とする請求項１１乃至１７のいずれか１項に記載のドラムユニット。
【請求項１９】
前記凹部は、前記感光ドラムから前記本体側係合部へ向かうにしたがって前記カップリング部材の回転軸線からの距離が広がる広がり部を有しており、
前記広がり部が前記半球面に付勢されることを特徴とする請求項１８に記載のドラムユニット。
【請求項２０】
前記カップリング部材が前記第２姿勢のときに、前記カップリング部材の回転軸線と前記感光ドラムの回転軸線となす角度が２０〜６０°となることを特徴とする請求項１１乃至１９のいずれか１項に記載のドラムユニット。
【請求項２１】
記録媒体に画像を形成する電子写真画像形成装置において、
回転可能な本体側係合部を有する電子写真画像形成装置本体と、
前記装置本体に対して装着可能およびその装着方向とは逆方向に取り外し可能なドラムユニットであって、
ｉ）前記装着方向と実質直交する回転軸線を中心として回転可能な感光ドラムと、
ii）その回転軸線が前記感光ドラムの回転軸線と実質平行な状態で回転駆動伝達が行われるべく前記本体側係合部とのカップリングが可能な第１姿勢と、その回転軸線の先端側が前記装着方向下流側に傾いた第２姿勢と、の間を傾動可能なカップリング部材と、
を有するドラムユニットと、
を有し、
前記カップリング部材は、前記装着時および前記取り外し時に前記２姿勢をとることにより、前記本体側係合部とのカップリングおよびその解除が可能に構成されたことを特徴とする電子写真画像形成装置。
【請求項２２】
前記カップリング部材は、前記装着時に前記第２姿勢から前記第１姿勢に移行することに伴い前記本体側係合部とのカップリングが可能であるとともに、前記取り外し時に前記第１姿勢から前記第２姿勢に移行することに伴い前記本体側係合部とのカップリングの解除が可能に構成されたことを特徴とする請求項２１に記載の電子写真画像形成装置。
【請求項２３】
前記カップリング部材は、前記装着時に前記第２姿勢から前記第１姿勢に移行することに伴いその一部が前記本体側係合部の前記装着方向の背後に廻り込むとともに、前記取り外し時に前記第１姿勢から前記第２姿勢に移行することに伴いその一部が前記背後から退避するように構成されたことを特徴とする請求項２２に記載の電子写真画像形成装置。
【請求項２４】
前記カップリング部材は、前記装着時に前記第２姿勢から前記第１姿勢に移行するために前記本体側係合部から力を受ける部位と、前記取り外し時に前記第１姿勢から前記第２姿勢に移行するために前記本体側係合部から力を受ける部位と、を有することを特徴とする請求項２３に記載の電子写真画像形成装置。
【請求項２５】
前記ドラムユニットは、前記感光ドラムに固定される回転力被伝達部材であって前記カップリング部材からの回転駆動伝達を受ける回転力被伝達部材を有し、
前記カップリング部材は前記回転力被伝達部材に傾動可能に連結されていることを特徴とする請求項２１乃至２４のいずれか１項に記載の電子写真画像形成装置。
【請求項２６】
前記ドラムユニットは、前記カップリング部材が前記本体側係合部からの回転駆動伝達を受け得る状態において、前記感光ドラムから前記本体側係合部へ向けて前記カップリング部材を付勢する付勢部材を有することを特徴とする請求項２１乃至２５のいずれか１項に記載の電子写真画像形成装置。
【請求項２７】
前記カップリング部材は、前記装着時に前記第２姿勢から前記第１姿勢に移行することに伴い前記付勢部材の付勢方向へ移動するとともに、前記取り外し時に前記第１姿勢から前記第２姿勢に移行することに伴い前記付勢方向とは反対方向へ移動することを特徴とする請求項２６に記載の電子写真画像形成装置。
【請求項２８】
前記駆動軸はその先端に半球面を有しており、
前記カップリング部材は、前記本体側係合部からの回転駆動伝達を受けている状態で前記半球面に付勢される凹部を有することを特徴とする請求項２１乃至２７のいずれか１項に記載の電子写真画像形成装置。
【請求項２９】
前記凹部は、前記感光ドラムから前記本体側係合部へ向かうにしたがって前記カップリング部材の回転軸線からの距離が広がる広がり部を有しており、
前記広がり部が前記半球面に付勢されることを特徴とする請求項２８に記載の電子写真画像形成装置。
【請求項３０】
前記カップリング部材が前記第２姿勢のときに、前記カップリング部材の回転軸線と前記感光ドラムの回転軸線となす角度が２０〜６０°となることを特徴とする請求項２１乃至２９のいずれか１項に記載の電子写真画像形成装置。
【請求項３１】
前記ドラムユニットは、前記感光ドラムに作用するプロセス手段を有するプロセスカートリッジであることを特徴とする請求項２１乃至３０のいずれか１項に記載の電子写真画像形成装置。
【手続補正２】
【補正対象書類名】明細書
【補正対象項目名】００１６
【補正方法】削除
【補正の内容】
【手続補正３】
【補正対象書類名】明細書
【補正対象項目名】００１７
【補正方法】削除
【補正の内容】
【手続補正４】
【補正対象書類名】明細書
【補正対象項目名】００１９
【補正方法】削除
【補正の内容】
【手続補正５】
【補正対象書類名】明細書
【補正対象項目名】００２０
【補正方法】削除
【補正の内容】
【手続補正６】
【補正対象書類名】明細書
【補正対象項目名】００２２
【補正方法】変更
【補正の内容】
【００２２】
前記課題を解決するための本発明は、
回転可能な本体側係合部を有する電子写真画像形成装置本体に対して装着可能およびその装着方向とは逆方向に取り外し可能なプロセスカートリッジにおいて、
前記装着方向と実質直交する回転軸線を中心として回転可能な感光ドラムと、
前記感光ドラムに作用するプロセス手段と、
その回転軸線が前記感光ドラムの回転軸線と実質平行な状態で回転駆動伝達が行われるべく前記本体側係合部とのカップリングが可能な第１姿勢と、その回転軸線の先端側が前記装着方向下流側に傾いた第２姿勢と、の間を傾動可能なカップリング部材と、
を有し、
前記カップリング部材は、前記装着時および前記取り外し時に前記２姿勢をとることにより、前記本体側係合部とのカップリングおよびその解除が可能に構成されたことを特徴とするプロセスカートリッジである。
【手続補正７】
【補正対象書類名】明細書
【補正対象項目名】００２３
【補正方法】変更
【補正の内容】
【００２３】
また、前記課題を解決するための他の本発明は、
回転可能な本体側係合部を有する電子写真画像形成装置本体に対して装着可能およびその装着方向とは逆方向に取り外し可能なドラムユニットにおいて、
前記装着方向と実質直交する回転軸線を中心として回転可能な感光ドラムと、
その回転軸線が前記感光ドラムの回転軸線と実質平行な状態で回転駆動伝達が行われるべく前記本体側係合部とのカップリングが可能な第１姿勢と、その回転軸線の先端側が前記装着方向下流側に傾いた第２姿勢と、の間を傾動可能なカップリング部材と、
を有し、
前記カップリング部材は、前記装着時および前記取り外し時に前記２姿勢をとることにより、前記本体側係合部とのカップリングおよびその解除が可能に構成されたことを特徴とするドラムユニットである。
【手続補正８】
【補正対象書類名】明細書
【補正対象項目名】００２４
【補正方法】変更
【補正の内容】
【００２４】
また、前記課題を解決するための他の本発明は、
記録媒体に画像を形成する電子写真画像形成装置において、
回転可能な本体側係合部を有する電子写真画像形成装置本体と、
前記装置本体に対して装着可能およびその装着方向とは逆方向に取り外し可能なドラムユニットであって、
ｉ）前記装着方向と実質直交する回転軸線を中心として回転可能な感光ドラムと、
ii）その回転軸線が前記感光ドラムの回転軸線と実質平行な状態で回転駆動伝達が行われるべく前記本体側係合部とのカップリングが可能な第１姿勢と、その回転軸線の先端側が前記装着方向下流側に傾いた第２姿勢と、の間を傾動可能なカップリング部材と、
を有するドラムユニットと、
を有し、
前記カップリング部材は、前記装着時および前記取り外し時に前記２姿勢をとることにより、前記本体側係合部とカップリングおよびその解除が可能に構成されたことを特徴とする電子写真画像形成装置である。
【手続補正９】
【補正対象書類名】明細書
【補正対象項目名】００２５
【補正方法】削除
【補正の内容】
【手続補正１０】
【補正対象書類名】明細書
【補正対象項目名】００２６
【補正方法】削除
【補正の内容】
【手続補正１１】
【補正対象書類名】明細書
【補正対象項目名】００２８
【補正方法】削除
【補正の内容】
【手続補正１２】
【補正対象書類名】明細書
【補正対象項目名】００２９
【補正方法】削除
【補正の内容】
【手続補正１３】
【補正対象書類名】明細書
【補正対象項目名】００３０
【補正方法】削除
【補正の内容】
【手続補正１４】
【補正対象書類名】明細書
【補正対象項目名】００７５
【補正方法】変更
【補正の内容】
【００７５】
開口部１５０ｍは、カップリング１５０が装置本体Ａに装着された状態で、駆動軸１８０側に向かって広がった拡開部（広がり部）としての円錐形状の駆動軸受け面１５０ｆを有する。受け面１５０ｆは、図８（ｆ）に示すように凹部１５０ｚを構成している。尚、前記凹部１５０ｚは、軸線Ｌ２方向において、感光体ドラム１０７の設けられた側とは反対側に開口部１５０ｍ（開口）を有する。